(57)【要約】  Ｄ２Ｄ通信をサポートする無線通信システムにおけるユーザ装置であって、第一の配置構成に従って参照信号を物理チャネルに配置してＤ２Ｄ信号を送信するのか、又は、前記第一の配置構成よりも参照信号が配置されるシンボル数が多い第二の配置構成に従って参照信号を物理チャネルに配置してＤ２Ｄ信号を送信するのかを選択する選択部と、前記選択部における選択結果に基づき、前記第一の配置構成又は前記第二の配置構成に従って参照信号を物理チャネルに配置してＤ２Ｄ信号を送信する送信部と、を有するユーザ装置を提供する。
2017026477.tif 000002
【特許請求の範囲】
【請求項１】
Ｄ２Ｄ通信をサポートする無線通信システムにおけるユーザ装置であって、
第一の配置構成に従って参照信号を物理チャネルに配置してＤ２Ｄ信号を送信するのか、又は、前記第一の配置構成よりも参照信号が配置されるシンボル数が多い第二の配置構成に従って参照信号を物理チャネルに配置してＤ２Ｄ信号を送信するのかを選択する選択部と、
前記選択部における選択結果に基づき、前記第一の配置構成又は前記第二の配置構成に従って参照信号を物理チャネルに配置してＤ２Ｄ信号を送信する送信部と、
を有するユーザ装置。
【請求項２】
前記選択部は、当該ユーザ装置の移動速度が所定の閾値以下である場合に、前記第一の配置構成に従って参照信号を物理チャネルに配置してＤ２Ｄ信号を送信することを選択し、当該ユーザ装置の移動速度が所定の閾値を超える場合に、前記第二の配置構成に従って参照信号を物理チャネルに配置してＤ２Ｄ信号を送信することを選択する、請求項１に記載のユーザ装置。
【請求項３】
前記選択部は、当該ユーザ装置の位置又は基地局からの指示に基づき、前記第一の配置構成に従って参照信号を物理チャネルに配置してＤ２Ｄ信号を送信するのか、前記第二の配置構成に従って参照信号を物理チャネルに配置してＤ２Ｄ信号を送信するのかを選択する、請求項１又は２に記載のユーザ装置。
【請求項４】
前記送信部は、前記第二の配置構成をＰＳＳＣＨに適用してＤ２Ｄ信号を送信する場合に、ＳＣＩに含まれる情報を用いてＰＳＳＣＨに配置される参照信号を生成するためのパラメータを生成する、請求項１乃至３のいずれか一項に記載のユーザ装置。
【請求項５】
Ｄ２Ｄ通信をサポートする無線通信システムにおけるユーザ装置であって、
Ｄ２Ｄ信号を受信する受信部と、
前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出部と、
前記検出部により検出された参照信号を用いてチャネル推定を行う推定部と、
を有するユーザ装置。
【請求項６】
前記検出部は、
特定の物理チャネルに配置されている参照信号が前記第一の配置構成に従って配置されていると判定した場合、前記特定の物理チャネル以外の物理チャネルに配置されている参照信号も前記第一の配置構成に従って配置されていると判定し、
特定の物理チャネルに配置されている参照信号が前記第二の配置構成に従って配置されていると判定した場合、前記特定の物理チャネル以外の物理チャネルに配置されている参照信号も前記第二の配置構成に従って配置されていると判定する、請求項５に記載のユーザ装置。
【請求項７】
前記推定部は、前記第二の配置構成がＰＳＳＣＨに適用されている場合、ＳＣＩに含まれる情報を用いてＰＳＳＣＨに配置されている参照信号が生成された際に用いられたパラメータを特定し、特定したパラメータを用いてチャネル推定を行う、請求項５又は６に記載のユーザ装置。
【請求項８】
Ｄ２Ｄ通信をサポートする無線通信システムにおけるユーザ装置が行う信号送信方法であって、
第一の配置構成に従って参照信号を物理チャネルに配置してＤ２Ｄ信号を送信するのか、又は、前記第一の配置構成よりも参照信号が配置されるシンボル数が多い第二の配置構成に従って参照信号を物理チャネルに配置してＤ２Ｄ信号を送信するのかを選択する選択ステップと、
前記選択ステップにおける選択結果に基づき、前記第一の配置構成又は前記第二の配置構成に従って参照信号を物理チャネルに配置してＤ２Ｄ信号を送信する送信ステップと、
を有する信号送信方法。
【請求項９】
Ｄ２Ｄ通信をサポートする無線通信システムにおけるユーザ装置が行う信号受信方法であって、
Ｄ２Ｄ信号を受信する受信ステップと、
前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出ステップと、
前記検出ステップにより検出された参照信号を用いてチャネル推定を行う推定ステップと、
を有する信号受信方法。
【発明の詳細な説明】
【技術分野】
【０００１】
本発明は、ユーザ装置、信号送信方法及び信号受信方法に関する。
【背景技術】
【０００２】
ＬＴＥ（Long Term Evolution）及びＬＴＥの後継システム（例えば、ＬＴＥ−Ａ（LTE-Advanced）、ＦＲＡ（Future Radio Access）、４Ｇなどともいう）では、ユーザ端末同士が無線基地局を介さないで直接通信を行うＤ２Ｄ（Device to Device）技術が検討されている（例えば、非特許文献１）。【０００３】
Ｄ２Ｄは、ユーザ装置と基地局との間のトラヒックを軽減したり、災害時などに基地局が通信不能になった場合でもユーザ装置間の通信を可能とする。【０００４】
Ｄ２Ｄは、通信可能な他のユーザ端末を見つけ出すためのＤ２Ｄディスカバリ（D2D discovery、Ｄ２Ｄ発見ともいう）と、端末間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。【０００５】
また、３ＧＰＰ（3rd Generation Partnership Project）では、Ｄ２Ｄ機能を拡張することでＶ２Ｘを実現することが検討されている。ここで、Ｖ２Ｘとは、ＩＴＳ（Intelligent Transport Systems）の一部であり、図１に示すように、自動車と自動車との間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure：路車間通信）、自動車とドライバーのモバイル端末との間で行われる通信形態を意味するＶ２Ｎ（Vehicle to Nomadic device：端車間通信）、及び、自動車と歩行者のモバイル端末との間で行われる通信形態を意味するＶ２Ｐ（Vehicle to Pedestrian：歩行者間通信）の総称である。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【発明の概要】
【発明が解決しようとする課題】
【０００７】
Ｄ２Ｄに用いられる物理チャネルには、ＬＴＥのＰＵＳＣＨ（Physical Uplink Shared Channel）に類似した無線フレーム構成が採用されており、図２に示すように、１サブフレーム内の２ヶ所のＳＣ−ＦＤＭＡシンボルにＤＭ−ＲＳ（Demodulation-Reference Signal）が配置されている。【０００８】
ここで、Ｖ２Ｘ特有の要求条件として、例えば、高速移動への対応（車対車の相対速度２８０ｋｍ／ｈをサポート）が挙げられる。受信側のユーザ装置は、ＤＭ−ＲＳを用いて受信信号を復調するために必要なチャネル推定を行うが、高速移動に伴う高いドップラー周波数の影響によりチャネル推定精度が劣化する可能性がある。【０００９】
高いドップラー周波数でもチャネル推定精度を劣化させないためには、ＤＭ−ＲＳの時間密度を増加させる（１サブフレーム内で、更に多くのＳＣ−ＦＤＭＡシンボルにＤＭ−ＲＳを配置する）ことが有効である。しかしながら、単純にＤＭ−ＲＳの時間密度を増加させた場合、物理チャネルに含まれるデータ量が減少してスループットが劣化するという問題、及び符号化率が高くなることで誤り訂正能力が劣化してしまうというような問題が生じることになる。従って、高いドップラー周波数の影響度合いに応じて参照信号の配置を切替えるようにすることが望ましい。【００１０】
開示の技術は上記に鑑みてなされたものであって、Ｄ２Ｄをサポートする無線通信システムにおいて参照信号の配置を適切に切り替えることが可能な技術を提供することを目的とする。
【課題を解決するための手段】
【００１１】
開示の技術のユーザ装置は、Ｄ２Ｄ通信をサポートする無線通信システムにおけるユーザ装置であって、第一の配置構成に従って参照信号を物理チャネルに配置してＤ２Ｄ信号を送信するのか、又は、前記第一の配置構成よりも参照信号が配置されるシンボル数が多い第二の配置構成に従って参照信号を物理チャネルに配置してＤ２Ｄ信号を送信するのかを選択する選択部と、前記選択部における選択結果に基づき、前記第一の配置構成又は第二の配置構成に従って参照信号を物理チャネルに配置してＤ２Ｄ信号を送信する送信部と、を有する。【００１２】
また、開示の技術のユーザ装置は、Ｄ２Ｄ通信をサポートする無線通信システムにおけるユーザ装置であって、Ｄ２Ｄ信号を受信する受信部と、前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出部と、前記検出部により検出された参照信号を用いてチャネル推定を行う推定部と、を有する。
【発明の効果】
【００１３】
開示の技術によれば、Ｄ２Ｄをサポートする無線通信システムにおいて参照信号の配置を適切に切り替えることが可能な技術が提供される。
【図面の簡単な説明】
【００１４】
【図１】Ｖ２Ｘを説明するための図である。
【図２】従来のＲＳ構成を説明するための図である。
【図３】実施の形態に係る無線通信システムの構成例を示す図である。
【図４】Ｄ２Ｄ通信を説明するための図である。
【図５】Ｄ２Ｄ通信に用いられるＭＡＣ  ＰＤＵを説明するための図である。
【図６】ＳＬ−ＳＣＨ ｓｕｂｈｅａｄｅｒのフォーマットを説明するための図である。
【図７】新たなＲＳ構成（１サブフレーム内）の一例を示す図である。
【図８】新たなＲＳ構成（１サブフレーム内）の一例を示す図である。
【図９】新たなＲＳ構成（１サブフレーム内）の一例を示す図である。
【図１０】新たなＲＳ構成（１サブフレーム内）の一例を示す図である。
【図１１】新たなＲＳ構成（物理チャネル全体）の一例を示す図である。
【図１２】従来のＤ２Ｄで規定されている参照信号のパラメータを示す図である。
【図１３】新たなＲＳ構成を有する物理チャネルに用いる参照信号のパラメータの一例を示す図である。
【図１４】送信側のユーザ装置が行う処理手順の一例を示すフローチャートである。
【図１５】受信側のユーザ装置が行う処理手順の一例を示すフローチャートである。
【図１６】実施の形態に係るユーザ装置の機能構成の一例を示す図である。
【図１７】実施の形態に係る基地局の機能構成の一例を示す図である。
【図１８】実施の形態に係る基地局及びユーザ装置のハードウェア構成の一例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
＜概要＞
図３に示すように、本実施の形態における無線通信システムは、基地局ｅＮＢと、Ｄ２Ｄ信号を送信する送信側のユーザ装置ＵＥａと、Ｄ２Ｄ信号を受信する受信側のユーザ装置ＵＥｂとを有する。基地局ｅＮＢは、例えばマクロセルの報知情報（システム情報：ＳＩＢ）又はＲＲＣ（Radio Resource Control）等を用いて、Ｄ２Ｄ信号の送受信の為に用いられるリソースプールの割り当て等を行う。なお、以下の説明において、送信側のユーザ装置ＵＥａと受信側のユーザ装置ＵＥｂとを、まとめて「ユーザ装置ＵＥ」と呼ぶ。
【００１７】
Ｄ２Ｄ通信では、ユーザ装置ＵＥから基地局ｅＮＢへの上り信号送信のリソースとして既に規定されている上りリソースの一部が利用される。以下、ＬＴＥにおけるＤ２Ｄの信号送信の概要を説明する。
【００１８】
「Ｄｉｓｃｏｖｅｒｙ」については、図４（ａ）に示すように、Ｄｉｓｃｏｖｅｒｙ  ｐｅｒｉｏｄ毎に、Ｄｉｓｃｏｖｅｒｙメッセージ用のリソースプールが確保され、ユーザ装置ＵＥａはそのリソースプール内でＤｉｓｃｏｖｅｒｙメッセージを送信する。より詳細にはＴｙｐｅ１、Ｔｙｐｅ２ｂがある。Ｔｙｐｅ１では、ユーザ装置ＵＥａが自律的にリソースプールから送信リソースを選択する。Ｔｙｐｅ２ｂでは、上位レイヤシグナリング（例えばＲＲＣ信号）により準静的なリソースが割り当てられる。
【００１９】
「Ｃｏｍｍｕｎｉｃａｔｉｏｎ」についても、図４（ｂ）に示すように、Ｃｏｎｔｒｏｌ／Ｄａｔａ送信用リソースプールが周期的に確保される。送信側のユーザ装置ＵＥａはＣｏｎｔｒｏｌリソースプールから選択されたリソースでＳＣＩ（Sidelink Control Information）によりＤａｔａ送信用リソース等を受信側のユーザ装置ＵＥｂに通知し、当該Ｄａｔａ送信用リソースでＤａｔａを送信する。「Ｃｏｍｍｕｎｉｃａｔｉｏｎ」について、より詳細には、Ｍｏｄｅ１とＭｏｄｅ２がある。Ｍｏｄｅ１では、基地局ｅＮＢからユーザ装置ＵＥに送られる（Ｅ）ＰＤＣＣＨによりダイナミックにリソースが割り当てられる。Ｍｏｄｅ２では、ユーザ装置ＵＥａはＣｏｎｔｒｏｌ／Ｄａｔａ送信用リソースプールから自律的に送信リソースを選択する。リソースプールについては、ＳＩＢで通知されたり、予め定義されたものが使用される。
【００２０】
ＬＴＥにおいて、「Ｄｉｓｃｏｖｅｒｙ」に用いられるチャネルはＰＳＤＣＨ（Physical Sidelink Discovery Channel）と称され、「Ｃｏｍｍｕｎｉｃａｔｉｏｎ」におけるＳＣＩ等の制御情報を送信するチャネルはＰＳＣＣＨ（Physical Sidelink Control Channel）と称され、データを送信するチャネルはＰＳＳＣＨ（Physical Sidelink Shared Channel）と称される。
【００２１】
Ｄ２Ｄ通信に用いられるＭＡＣ（Medium Access Control）ＰＤＵ（Protocol Data Unit）は、図５に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Service Data Unit）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Sidelink Shared Channel）ｓｕｂｈｅａｄｅｒと、１つ以上のＭＡＣ  ＰＤＵ  ｓｕｂｈｅａｄｅｒで構成される。
【００２２】
図６に示すように、ＳＬ−ＳＣＨ ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ ｓｕｂｈｅａｄｅｒの先頭に割り当てられ、ユーザ装置ＵＥが用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２３】
また、Ｄ２Ｄでは、主に基地局ｅＮＢのカバレッジ外に存在するユーザ装置ＵＥ間で同期を取るために用いられる同期信号が規定されており、ＰＳＳＳ（Primary Sildelink Synchronization Signal）及びＳＳＳＳ（Secondary Sildelink Synchronization Signal）と称される。また、主に基地局ｅＮＢのカバレッジ外に存在するユーザ装置ＵＥにシステム情報等を通知するために用いられるチャネルは、ＰＳＢＣＨ（Physical Sidelink Broadcast Control Channel）と称される。
【００２４】
本実施の形態において、ユーザ装置ＵＥは、Ｖ２Ｘで規定されている自動車、ドライバーのモバイル端末、及び、歩行者のモバイル端末を含む。また、Ｖ２Ｘで規定されるＲＳＵは、特に断りがない限り、本実施の形態におけるユーザ装置ＵＥであってもよいし、基地局ｅＮＢであってもよい。以下、本実施の形態における無線通信システムが行う具体的な処理手順について説明する。
【００２５】
＜処理手順＞
本実施の形態では、送信側のユーザ装置ＵＥａは、自身の移動速度又は基地局ｅＮＢからの指示等に基づいて、従来の配置構成に従って参照信号を物理チャネルに配置してＤ２Ｄ信号を送信するのか、又は、高速移動に適した配置構成に従って参照信号を物理チャネルに配置してＤ２Ｄ信号を送信するのかのいずれかを選択し、選択した配置構成に従って参照信号を物理チャネルに配置してＤ２Ｄ信号を送信する。
【００２６】
また、受信側のユーザ装置ＵＥｂは、Ｄ２Ｄ信号を受信すると、従来の配置構成に従って参照信号が物理チャネルに配置されているのか、又は、高速移動に適した配置構成に従って参照信号が物理チャネルに配置されているのかを判定し、判定結果に基づいて参照信号を検出してチャネル推定を行う。
【００２７】
以下の説明において、高速移動に適した参照信号の配置構成を、便宜上「新たなＲＳ構成」と呼び、従来のＤ２Ｄでの参照信号の配置構成を、便宜上「従来のＲＳ構成」と呼ぶ。
【００２８】
（新たなＲＳ構成について）
本実施の形態では、ユーザ装置ＵＥが高速移動している場合に、受信側のユーザ装置ＵＥｂにおけるチャネル推定精度を劣化させないようにするため、１サブフレーム内において従来（図２）よりも多くのＳＣ−ＦＤＭＡシンボルに参照信号を配置する構成を新たに規定する。
【００２９】
図７（ａ）は、最初のスロットの最後のＳＣ−ＦＤＭＡシンボルに参照信号（ＲＳ）が追加された場合の構成例を示しており、図７（ｂ）は、最後のスロットの最後のＳＣ−ＦＤＭＡシンボルに参照信号（ＲＳ）が追加された場合の構成例を示しており、図７（ｃ）は、１ＰＲＢ内の特定のサブキャリア全体に参照信号が追加された場合の構成例を示している。
【００３０】
図８（ａ）は、１サブフレーム内の２つ目のスロットの最初のＳＣ−ＦＤＭＡシンボルに参照信号（ＲＳ）が追加された場合の構成例を示しており、図８（ｂ）は、１サブフレーム内の４つのＳＣ−ＦＤＭＡシンボルに参照信号（ＲＳ）を配置した場合の構成例を示している。
【００３１】
図９（ａ）は、１サブフレーム内の４つのＳＣ−ＦＤＭＡシンボルに参照信号（ＲＳ）を配置すると共に、参照信号が配置されたＳＣ−ＦＤＭＡシンボル長を半分にした場合の構成例を示している。図９（ｂ）は、１サブフレーム内の４つのＳＣ−ＦＤＭＡシンボルに参照信号（ＲＳ）を配置すると共に、参照信号が配置されたＳＣ−ＦＤＭＡシンボル及び当該ＳＣ−ＦＤＭＡシンボルの隣のＳＣ−ＦＤＭＡシンボル長を半分にした場合の構成例を示している。図９（ｃ）は、１サブフレーム内の全てのＳＣ−ＦＤＭＡシンボル長を半分にして、４つのＳＣ−ＦＤＭＡシンボルに参照信号（ＲＳ）を配置した場合の構成例を示している。
【００３２】
図１０は、リソースブロック（ＲＢ）ごとに参照信号（ＲＳ）の位置を交互に入れ替えるようにした場合の構成例を示している。
【００３３】
図７乃至図１０で追加された参照信号は、ＤＭ−ＲＳでもよいし、ＳＲＳ（Sounding Reference Signal）でもよいし、新たな系列の参照信号であってもよい。また、図７（ｃ）では、連続したＳＣ−ＦＤＭＡシンボルを用いた系列の参照信号を新たに定義するようにしてもよい。また、図７乃至図１０に示す参照信号の配置構成はあくまで一例であり、従来のＤＭ−ＲＳの配置構成よりも多くのＳＣ−ＦＤＭＡシンボルに参照信号（ＲＳ）が追加されていれば、どのような配置構成であってもよい。例ではＤＭ−ＲＳが時間多重されている場合を記載しているが、すべての参照信号を周波数多重するような構成であってもよい。
【００３４】
本実施の形態では、図７乃至図１０に示すような参照信号の構成をＤ２Ｄで用いられる物理チャネル（ＰＳＤＣＨ、ＰＳＣＣＨ、ＰＳＳＣＨ、ＰＳＢＣＨ等）全体に配置するようにしてもよい。
【００３５】
また、図７乃至図１０に示すような参照信号の構成を予め定められた規則に従って物理チャネルの一部のみに配置するようにしてもよい。例えば、周波数方向において複数のＰＲＢから構成される物理チャネル（例えば、ＰＳＢＣＨは６ＰＲＢから構成される）の場合、図１１（ａ）に示すように、Ｎ個（Ｎは整数）のＰＲＢのうちいずれか１つのＰＲＢに図７乃至図９に示すような参照信号の構成を配置するようしてもよい。また、時間軸方向において複数のＰＲＢから構成される物理チャネル（例えば、ＰＳＳＣＨは、ＭＡＣ  ＰＤＵをＲｅｐｅｔｉｔｉｏｎ送信するため、時間軸方向に複数のＰＲＢから構成される）の場合、図１１（ｂ）に示すように、先頭（又は最後）のＰＲＢに図７乃至図１０に示すような参照信号の構成を配置するようしてもよい。図７乃至図１０に示すような参照信号の構成を物理チャネル全体に配置する場合よりも、スループットの劣化及び誤り訂正能力の劣化を抑えることができる。
【００３６】
図１０の例では、リソースブロック単位ではＲｅｌ−１２  Ｄ２Ｄと同様のデータシンボル数およびシンボルシフトを除いてＲＥ（Resource Element）マッピングを流用しつつ、チャネル推定結果を周波数補完することで実効的にドップラー周波数への耐性を高める事ができる。
【００３７】
なお、新たなＲＳ構成において、従来のＲＳ構成のままＯＦＤＭシンボル長が従来のＤ２Ｄ（ＬＴＥ）よりも短くなるように（サブキャリア間隔を広げることと同義）することで、１ＴＴＩ（Transmission Time Interval）が短くなるようにしてもよい。これにより、事実上ＤＭ−ＲＳの時間間隔を短くすることができ、高速移動に適した参照信号の配置が実現される。
【００３８】
（新たなＲＳ構成に係る参照信号のパラメータについて）
本実施の形態では、新たなＲＳ構成の参照信号を生成する際、従来のＤ２Ｄで規定されているパラメータとは異なるパラメータを用いるようにしてもよい。図１２は、従来のＤ２Ｄで規定されている参照信号のパラメータを示しており、図１３は、新たなＲＳ構成を有する物理チャネルに用いる参照信号のパラメータの一例を示している。図１３はあくまで一例であり、他のパラメータが用いられるようにしてもよい。
【００３９】
Ｖ２Ｘでは多数の自動車等が存在する環境下で通信が行われることが想定されているため、ユーザ装置ＵＥ間で干渉が発生する可能性が高いと想定される。また、従来のＤ２Ｄでは、ＰＳＳＣＨ及びＰＳＤＣＨにおける参照信号のパラメータがほぼ固定値であることから、ユーザ装置ＵＥ間の干渉による性能劣化（チャネル推定精度の劣化）が懸念される。従って、新たなＲＳ構成の参照信号を生成する際のパラメータを従来のパラメータとは異なるパラメータにしたり、新たなＲＳ構成を用いる送信側のユーザ装置ＵＥａ間でも異なるパラメータにすることで、ユーザ装置ＵＥ間における干渉のランダマイズ化、及びユーザ装置ＵＥ間における参照信号の直交化を行い、干渉による性能劣化を抑止するようにしてもよい。
【００４０】
（Ｄ２Ｄ信号の送受信手順について）
次に、送信側及び受信側のユーザ装置ＵＥ間で行われるＤ２Ｄ信号の送受信手順を説明する。なお、上述したように、新たなＲＳ構成における参照信号の配置及び当該参照信号の生成に用いられるパラメータには様々なバリエーションが考えられるが、少なくとも、送信側のユーザ装置ＵＥａと受信側のユーザ装置ＵＥｂとの間で、暗示的又は何らかの情報をトリガとして、新たなＲＳ構成における参照信号の配置及び当該参照信号の生成に用いられるパラメータは共有されている（又は把握、算出可能である）前提とする。
【００４１】
［送信側ユーザ装置の処理手順］
図１４は、送信側のユーザ装置が行う処理手順の一例を示すフローチャートである。図１４を用いて、送信側のユーザ装置ＵＥａが物理チャネルでＤ２Ｄ信号を送信する際の処理手順を説明する。
【００４２】
ステップＳ１１で、ユーザ装置ＵＥａは、物理チャネルでＤ２Ｄ信号を送信する際に、「従来のＲＳ構成」及び「新たなＲＳ構成」のうちどちらの構成を用いるべきかを選択する。「従来のＲＳ構成」を選択した場合はステップＳ１２に進み、「新たなＲＳ構成」を選択した場合はステップＳ１３に進む。
【００４３】
例えば、ユーザ装置ＵＥａは、車速センサ又はＧＰＳ等からユーザ装置ＵＥａ自身の移動速度を取得し、取得した移動速度が所定の閾値以下である場合は「従来のＲＳ構成」を用いると選択し、取得した移動速度が所定の閾値を超える場合は「新たなＲＳ構成」を用いると選択するようにしてもよい。「新たなＲＳ構成」を選択する必要があるのは、送信側ユーザ装置ＵＥａと受信側ユーザ装置ＵＥｂとの相対速度が非常に大きい場合である。従って、送信側ユーザ装置ＵＥａの移動速度が低速である場合は、受信側のユーザ装置ＵＥｂの移動速度に関わらず「従来のＲＳ構成」でＤ２Ｄ信号を送信しても特に問題は発生しないと考えられる。
【００４４】
また、別の方法として、例えば、ユーザ装置ＵＥａは、予め「新たなＲＳ構成」を選択すべき位置に関する情報を保持しておき、ＧＰＳ等から取得された自身の位置と比較することで「従来のＲＳ構成」及び「新たなＲＳ構成」のうちどちらの構成を用いるべきかを選択するようにしてもよい。「新たなＲＳ構成」を選択すべき位置に関する情報は、ＳＩＭ（Subscriber Identity Module）に予め設定されていてもよいし、コアネットワークから送信される上位レイヤの制御信号を介してユーザ装置ＵＥａに通知されるようにしてもよい。
【００４５】
また、更に別の方法として、例えば、ユーザ装置ＵＥａは、基地局ｅＮＢ（ＲＳＵ含む）からの指示に従って「従来のＲＳ構成」及び「新たなＲＳ構成」のうちどちらの構成を用いるべきかを選択するようにしてもよい。基地局ｅＮＢ（ＲＳＵ含む）は、ＲＲＣ信号、レイヤ１又はレイヤ２の制御信号を用いてユーザ装置ＵＥａに個別に指示するようにしてもよいし、報知情報（ＳＩＢ）を用いてユーザ装置ＵＥ全体に指示するようにしてもよい。送信側ユーザ装置ＵＥａと受信側ユーザ装置ＵＥｂとの相対速度が非常に大きくなるのは、高速道路など限られたエリアに限られることが想定される。従って、高速道路を含むエリアを形成する基地局ｅＮＢが送信する報知情報には「新たなＲＳ構成」の選択を指示する情報を含めるようにして、高速道路を含まないエリアを形成する基地局ｅＮＢが送信する報知情報には「従来のＲＳ構成」の選択を指示する情報を含めるようにしてもよい。また、高速道路の入口に設置されるＲＳＵから、高速道路の入口を通過するユーザ装置ＵＥに対して「新たなＲＳ構成」の選択を指示する情報をレイヤ１、レイヤ２又はＲＲＣ信号等を用いて送信し、高速道路の出口に設置されるＲＳＵから、高速道路の出口を通過するユーザ装置ＵＥに対して「従来のＲＳ構成」の選択を指示する情報をレイヤ１、レイヤ２又はＲＲＣ信号等を用いて送信するようにしてもよい。
【００４６】
ステップＳ１２で、ユーザ装置ＵＥａは、従来のＲＳ構成でＤ２Ｄ信号を生成して送信する。
【００４７】
ステップＳ１３で、ユーザ装置ＵＥａは、新たなＲＳ構成でＤ２Ｄ信号を生成して送信する。なお、前述の図７（ｃ）のＲＳ構成、図１０のＲＳ構成又は図１１（ａ）のＲＳ構成が用いられる場合、ユーザ装置ＵＥａは、同一のシンボルにおいて参照信号とペイロード部分に含まれる信号とを同時に送信することになる。言い換えると、ユーザ装置ＵＥａは、従来のＤ２Ｄ（シングルキャリア送信）とは異なりマルチキャリア送信を行うことになる。一般的に、マルチキャリア送信はシングルキャリア送信と比較してＰＡＰＲ（Peak to Average Power Ratio）が高くなることが知られている。従って、ユーザ装置ＵＥａは、ＰＡＰＲを考慮してパワーアンプに必要とされるバックオフ値を大きく設定するようにしてもよい。ＰＡＰＲ増大の影響を低減するため、マルチキャリア送信となる構成をＱＰＳＫ変調のみに限定してもよいし、送信帯域幅など適用可能なリソース割り当てをＰＲＰＲが小さくなるよう制限してもよい。更に、従来のＳＣ−ＦＤＭＡ方式に代えて、ＯＦＤＭ方式を適用してＤ２Ｄ信号を送信する（信号波形がＯＦＤＭになるようにする）ようにしてもよい。
【００４８】
なお、ＰＳＢＣＨは、周波数方向に６ＰＲＢ及び時間軸方向に１サブフレーム分の無線リソースで送信され、ＰＳＣＣＨ（ＳＣＩ）は、１ＰＲＢ分の無線リソースで送信されることが規定されている。そこで、ステップＳ１３の処理手順で送信するＤ２Ｄ信号がＰＳＢＣＨ又はＰＳＣＣＨである場合、ユーザ装置ＵＥａは、ＰＳＢＣＨ又はＰＳＣＣＨで送信可能なデータサイズ及び所定の符号化率を確保するために、より高密度な変調方式を適用する等によりペイロード部分で送信可能なビット数を増加させるようにしてもよい。
【００４９】
また、ＰＳＣＣＨに適用される参照信号のパラメータには予め２以上のパラメータセットを用意しておき、ユーザ装置ＵＥａは、基地局ｅＮＢからの指示に基づき、又は自律的にどのパラメータセットを用いるのかを選択するようにしてもよい。
【００５０】
また、ＰＳＳＣＨに適用される参照信号のパラメータについても予め２以上のパラメータセットを用意しておき、ユーザ装置ＵＥａは、基地局ｅＮＢからの指示基づき、又は自律的にどのパラメータセットを用いるのかを選択するようにしてもよい。選択されるパラメータセットは、ＳＬＩＤ（Sidelink synchronization identity）又はＳＡＩＤ（Sidelink group destination identity）から一意に特定されるようにしてもよい。なお、ＳＡＩＤは送信先のユーザ装置ＵＥを示す識別子である。
【００５１】
また、ユーザ装置ＵＥａは、どのパラメータセットを用いたのかを示す識別子をＳＣＩに含めるようにしてもよい。当該識別子は、新たに定義された識別子であってもよいし、ＳＡＩＤに含まれるブロードキャストＩＤであってもよい。
【００５２】
また、他の方法として、ユーザ装置ＵＥａは、予め用意されたパラメータセットからいずれか１つを選択するのではなく、ＰＳＳＣＨに適用される参照信号のパラメータをＳＣＩに含まれる各種設定値から算出するようにしてもよい。例えば、ＳＣＩに含まれる各種設定値（Ｆｒｅｑｕｅｎｃｙ  ｈｏｐｐｉｎｇ  ｆｌａｇ、Ｔｉｍｅ  ｒｅｓｏｕｒｃｅ  ｐａｔｔｅｒｎ、ＭＣＳ、ＴＡ、ＳＡＩＤ等）の全部又は一部をハッシュ関数に入力して得られる値からパラメータを生成するようにしてもよい。これにより、ユーザ装置ＵＥａは、パラメータセットを選択するという処理を行う必要がなくなる。また、ＳＣＩに含まれる各種設定値の変化に伴って参照信号を生成する際のパラメータも適宜変更されることになるため、干渉のランダマイズ化を行うことが可能になる。
【００５３】
［受信側ユーザ装置の処理手順］
図１５は、受信側のユーザ装置が行う処理手順の一例を示すフローチャートである。図１５を用いて、受信側のユーザ装置ＵＥｂが物理チャネルでＤ２Ｄ信号を受信する際の処理手順を説明する。
【００５４】
図１５（ａ）は、受信側のユーザ装置ＵＥｂが、「従来のＲＳ構成」のＤ２Ｄ信号を受信したのか、「新たなＲＳ構成」のＤ２Ｄ信号を受信したのか予め把握できない場合の処理手順を示し、図１５（ｂ）は、受信側のユーザ装置ＵＥｂが、「従来のＲＳ構成」のＤ２Ｄ信号を受信したのか、「新たなＲＳ構成」のＤ２Ｄ信号を受信したのかを把握可能である場合の処理手順を示している。まず、図１５（ａ）の処理手順について説明する。
【００５５】
ステップＳ２１で、ユーザ装置ＵＥｂは、受信したＤ２Ｄ信号に含まれる参照信号は「従来のＲＳ構成」に従って配置されていると仮定し、従来のＤ２Ｄにおける処理手順と同様の処理により参照信号の検出を試みる（ブラインド検出する）。
【００５６】
ステップＳ２２で、参照信号を検出できた場合、ユーザ装置ＵＥｂは、検出した参照信号を用いてチャネル推定を行い、処理を終了する。参照信号を検出できない場合はステップＳ２３に進む。
【００５７】
ステップＳ２３で、ユーザ装置ＵＥｂは、受信したＤ２Ｄ信号に含まれる参照信号は「新たなＲＳ構成」に従って配置されていると仮定して参照信号の検出を行う。また、ユーザ装置ＵＥｂは、検出した参照信号を用いてチャネル推定を行い、処理を終了する。
【００５８】
より具体的には、ユーザ装置ＵＥｂは、送信側のユーザ装置ＵＥａで「新たなＲＳ構成」に従って参照信号を生成する際に用いられたパラメータと同一のパラメータを用いて参照信号のレプリカを生成し、生成したレプリカと実際に受信した参照信号とを比較することでチャネル推定を行う。
【００５９】
なお、ユーザ装置ＵＥｂは、複数のパラメータセットの中から、送信側のユーザ装置ＵＥａで用いられたパラメータセットを特定するようにしてもよい。例えば、ユーザ装置ＵＥｂは、ＳＬＩＤ又はＳＡＩＤを用いてパラメータセットを特定するようにしてもよいし、前述のようにＳＣＩに含まれる"どのパラメータセットを用いたのかを示す識別子"を用いてパラメータセットを特定するようにしてもよい。
【００６０】
また、ユーザ装置ＵＥｂは、ＳＣＩに含まれる各種設定値をハッシュ関数に入力して得られる値から、送信側のユーザ装置ＵＥａで用いられたパラメータと同一のパラメータを生成するようにしてもよい。
【００６１】
次に、図１５（ｂ）の処理手順について説明する。
【００６２】
ステップＳ３１で、ユーザ装置ＵＥｂは、受信したＤ２Ｄ信号に含まれる参照信号について、「従来のＲＳ構成」又は「新たなＲＳ構成」のどちらが適用されているのかを判定する。「従来のＲＳ構成」が適用されていると判定した場合はステップＳ３２に進み、「新たなＲＳ構成」が適用されていると判定した場合はステップＳ３３に進む。
【００６３】
なお、ユーザ装置ＵＥｂは、図１４のステップＳ１１で説明した"「新たなＲＳ構成」を選択すべき位置に関する情報"と、ＧＰＳ等から取得された自身の位置と比較することで「従来のＲＳ構成」及び「新たなＲＳ構成」のうちどちらの構成が適用されているのかを判定するようにしてもよい。Ｖ２Ｘにおいては、ユーザ装置ＵＥ間の距離は近いことが想定されるため、"「新たなＲＳ構成」を選択すべき位置に関する情報"と自身の位置とを比較したとしても、ステップＳ３１の処理手順を高精度に行うことが可能であると考えられる。
【００６４】
また、別の方法として、図１４のステップＳ１１で説明したように、ユーザ装置ＵＥｂは、基地局ｅＮＢ（ＲＳＵ含む）からの指示に従って「従来のＲＳ構成」及び「新たなＲＳ構成」のうちどちらの構成が適用されているのかを判定するようにしてもよい。また、カバレッジ外で基地局からの指示を取得できない場合、ＲＳ構成の検出ミスを防ぐため、固定のＲＳ構成（例えば新たなＲＳ構成）を用いるようにしてもよい。
【００６５】
また、ユーザ装置ＵＥｂは、ＰＳＳＣＨを受信する前に必ずＰＳＣＣＨを受信しているはずである。そこで、受信したＰＳＳＣＨに含まれる参照信号に「従来のＲＳ構成」又は「新たなＲＳ構成」のどちらが適用されているのかを判定する場合、ＰＳＣＣＨに含まれる参照信号のＲＳ構成を判定した結果を用いるようにしてもよい。すなわち、ＰＳＣＣＨに含まれる参照信号のＲＳ構成は「従来のＲＳ構成」であると判定した場合、ＰＳＳＣＨに含まれる参照信号のＲＳ構成も「従来のＲＳ構成」であると判定するようにしてもよい。逆に、ＰＳＣＣＨに含まれる参照信号のＲＳ構成は「新たなＲＳ構成」であると判定した場合、ＰＳＳＣＨに含まれる参照信号のＲＳ構成も「新たなＲＳ構成」であると判定するようにしてもよい。
【００６６】
また、同様に、ＰＳＢＣＨは周期的（４０ｍｓ毎）に送信されていることから、ユーザ装置ＵＥｂは、ＰＳＢＣＨに含まれる参照信号のＲＳ構成を判定した結果を用いて、他の物理チャネル（ＰＳＣＣＨ、ＰＳＳＣＨ、ＰＳＤＣＨ）のＲＳ構成を判定するようにしてもよい。すなわち、ＰＳＢＣＨに含まれる参照信号のＲＳ構成が「従来のＲＳ構成」であると判定した場合、ＰＳＣＣＨ及びＰＳＳＣＨ及びＰＳＤＣＨに含まれる参照信号のＲＳ構成も「従来のＲＳ構成」であると判定するようにしてもよい。逆に、ＰＳＢＣＨに含まれる参照信号のＲＳ構成は「新たなＲＳ構成」であると判定した場合、ＰＳＣＣＨ及びＰＳＳＣＨに含まれる参照信号のＲＳ構成も「新たなＲＳ構成」であると判定するようにしてもよい。同様に、ＳＬＳＳの系列又はＰＳＳＳ／ＳＳＳＳのシンボルマッピング（シンボル間隔など）をＲＳ構成ごとに変更することで他の物理チャネル（ＰＳＢＣＨ、ＰＳＣＣＨ、ＰＳＳＣＨ、ＰＳＤＣＨ）のＲＳ構成を判定するようにしてもよい。
【００６７】
ステップＳ３２で、ユーザ装置ＵＥｂは、従来のＤ２Ｄにおける処理手順と同様の処理により参照信号を検出する。また、ユーザ装置ＵＥｂは、検出した参照信号を用いてチャネル推定を行い、処理を終了する。
【００６８】
ステップＳ３３は、図１５（ａ）のステップＳ２３の処理手順と同一であるため説明は省略する。
【００６９】
＜機能構成＞
以上説明した実施の形態の動作を実行するユーザ装置ＵＥと基地局ｅＮＢとの機能構成例を説明する。
【００７０】
（ユーザ装置）
図１６は、実施の形態に係るユーザ装置の機能構成の一例を示す図である。図１６に示すように、ユーザ装置ＵＥは、信号送信部１０１と、信号受信部１０２と、ＲＳ構成選択部１０３と、ＲＳ検出部１０４と、チャネル推定部１０５とを有する。なお、図１６は、ユーザ装置ＵＥにおいて本発明の実施の形態に特に関連する機能部のみを示すものであり、少なくともＬＴＥに準拠した動作を行うための図示しない機能も有するものである。また、図１６に示す機能構成は一例に過ぎない。本実施の形態に係る動作を実行できるのであれば、機能区分及び機能部の名称はどのようなものでもよい。
【００７１】
信号送信部１０１は、ユーザ装置ＵＥから送信されるべき上位のレイヤの信号から、物理レイヤの各種信号を生成し、無線送信する機能を含む。また、信号送信部１０１は、Ｄ２Ｄ信号の送信機能とセルラー通信の送信機能を有する。また、信号送信部１０１は、ＲＳ構成選択部１０３における選択結果に基づき、従来のＲＳ構成又は新たなＲＳ構成に従って参照信号を物理チャネル（ＰＳＤＣＨ、ＰＳＣＣＨ、ＰＳＳＣＨ、ＰＳＢＣＨ等）に配置してＤ２Ｄ信号を送信する。また、信号送信部１０１は、新たなＲＳ構成に従って参照信号を物理チャネルに配置する場合、従来の参照信号とは異なるパラメータで参照信号を生成するようにしてもよい。また、信号送信部１０１は、新たなＲＳ構成をＰＳＳＣＨに適用してＤ２Ｄ信号を送信する場合に、ＳＣＩに含まれる情報を用いてＰＳＳＣＨに配置される参照信号を生成するためのパラメータを生成するようにしてもよい。
【００７２】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、Ｄ２Ｄ信号の受信機能とセルラー通信の受信機能を有する。
【００７３】
ＲＳ構成選択部１０３は、従来のＲＳ構成に従って参照信号を物理チャネルに配置してＤ２Ｄ信号を送信するのか、又は、新たなＲＳ構成に従って参照信号を物理チャネルに配置してＤ２Ｄ信号を送信するのかを選択する機能を有する。また、ＲＳ構成選択部１０３は、ユーザ装置ＵＥの移動速度が所定の閾値以下である場合、従来のＲＳ構成に従って参照信号を物理チャネルに配置してＤ２Ｄ信号を送信することを選択し、ユーザ装置ＵＥの移動速度が所定の閾値を超える場合に、新たなＲＳ構成に従って参照信号を物理チャネルに配置してＤ２Ｄ信号を送信するようにしてもよい。ＲＳ構成選択部１０３は、例えば、車速センサ又はＧＰＳ等からユーザ装置ＵＥ自身の移動速度を検出するようにしてもよい。
【００７４】
また、ＲＳ構成選択部１０３は、ユーザ装置ＵＥの位置（例えば現在位置）又は基地局ｅＮＢからの指示に基づき、従来のＲＳ構成に従って参照信号を物理チャネルに配置してＤ２Ｄ信号を送信するのか、新たなＲＳ構成に従って参照信号を物理チャネルに配置してＤ２Ｄ信号を送信するのかを選択するようにしてもよい。
【００７５】
ＲＳ検出部１０４は、信号受信部１０２でＤ２Ｄ信号を受信した場合に、受信したＤ２Ｄ信号における物理チャネルにおいて、従来のＲＳ構成に従って参照信号が配置されているのか、又は、新たなＲＳ構成に従って参照信号が配置されているのかを判定し、判定結果に基づいて参照信号を検出する。
【００７６】
また、ＲＳ検出部１０４は、ＰＳＢＣＨ又はＰＳＣＣＨなどの特定の物理チャネルに配置されている参照信号が従来のＲＳ構成に従って配置されていると判定した場合、当該特定の物理チャネル以外の物理チャネルに配置されている参照信号も従来のＲＳ構成に従って配置されていると判定し、当該特定の物理チャネルに配置されている参照信号が新たなＲＳ構成に従って配置されていると判定した場合、前記特定の物理チャネル以外の物理チャネルに配置されている参照信号も新たなＲＳ構成に従って配置されていると判定するようにしてもよい。
【００７７】
チャネル推定部１０５は、ＲＳ検出部１０４により検出された参照信号を用いてチャネル推定を行う。より具体的には、チャネル推定部１０５は、送信側のユーザ装置ＵＥで参照信号を生成する際に用いられたパラメータを用いて参照信号のレプリカを生成し、ＲＳ検出部１０４により検出された参照信号と比較することでチャネル推定を行う。
【００７８】
また、チャネル推定部１０５は、新たなＲＳ構成がＰＳＳＣＨに適用されている場合、ＳＣＩに含まれる情報に基づいてＰＳＳＣＨに配置されている参照信号が生成された際に用いられたパラメータを特定し、特定したパラメータを用いてチャネル推定を行うようにしてもよい。
【００７９】
（基地局）
図１７は、実施の形態に係る基地局の機能構成の一例を示す図である。図１７に示すように、基地局ｅＮＢは、信号送信部２０１と、信号受信部２０２と、ＲＳ構成指示部２０３とを有する。なお、図１７は、基地局ｅＮＢにおいて本発明の実施の形態に特に関連する機能部のみを示すものであり、少なくともＬＴＥに準拠した動作を行うための図示しない機能も有するものである。また、図１７に示す機能構成は一例に過ぎない。本実施の形態に係る動作を実行できるのであれば、機能区分及び機能部の名称はどのようなものでもよい。
【００８０】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【００８１】
ＲＳ構成指示部２０３は、従来のＲＳ構成又は新たなＲＳ構成のどちらを用いるのかを指示する情報を、ＲＲＣ信号、報知情報（ＳＩＢ）、レイヤ１又はレイヤ２の制御信号を介してユーザ装置ＵＥに通知する。
【００８２】
＜ハードウェア構成＞
実施の形態の説明に用いたブロック図（図１６及び図１７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００８３】
例えば、本発明の一実施の形態における基地局ｅＮＢ、ユーザ装置ＵＥなどは、本発明の信号受信方法の処理を行うコンピュータとして機能してもよい。図１８は、実施の形態に係る基地局及びユーザ装置のハードウェア構成の一例を示す図である。上述の基地局ｅＮＢ及びユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【００８４】
なお、以下の説明では、「装置」という文言は、回路、デバイス、ユニットなどに読み替えることができる。基地局ｅＮＢ及びユーザ装置ＵＥのハードウェア構成は、図に示した各装置を１つ又は複数含むように構成されてもよいし、一部の装置を含まずに構成されてもよい。
【００８５】
基地局ｅＮＢ及びユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００８６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ユーザ装置ＵＥの信号送信部１０１と、信号受信部１０２と、ＲＳ構成選択部１０３と、ＲＳ検出部１０４と、チャネル推定部１０５と、基地局ｅＮＢの信号送信部２０１と、信号受信部２０２と、ＲＳ構成指示部２０３とは、プロセッサ１００１で実現されてもよい。
【００８７】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥの信号送信部１０１と、信号受信部１０２と、ＲＳ構成選択部１０３と、ＲＳ検出部１０４と、チャネル推定部１０５と、基地局ｅＮＢの信号送信部２０１と、信号受信部２０２と、ＲＳ構成指示部２０３とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る信号受信方法を実施するために実行可能なプログラム（プログラムコード）、ソフトウェアモジュールなどを保存することができる。
【００８９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置ＵＥの信号送信部１０１と、信号受信部１０２と、基地局ｅＮＢの信号送信部２０１と、信号受信部２０２とは、通信装置１００４で実現されてもよい。
【００９１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９２】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００９３】
また、基地局ｅＮＢ及びユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９４】
＜まとめ＞
以上説明した実施の形態によれば、Ｄ２Ｄ通信をサポートする無線通信システムにおけるユーザ装置であって、第一の配置構成に従って参照信号を物理チャネルに配置してＤ２Ｄ信号を送信するのか、又は、前記第一の配置構成よりも参照信号が配置されるシンボル数が多い第二の配置構成に従って参照信号を物理チャネルに配置してＤ２Ｄ信号を送信するのかを選択する選択部と、前記選択部における選択結果に基づき、前記第一の配置構成又は第二の配置構成に従って参照信号を物理チャネルに配置してＤ２Ｄ信号を送信する送信部と、を有するユーザ装置が提供される。このユーザ装置ＵＥにより、Ｄ２Ｄをサポートする無線通信システムにおいて参照信号の配置を適切に切り替えることが可能な技術が提供される。
【００９５】
また、前記選択部は、当該ユーザ装置の移動速度が所定の閾値以下である場合に、前記第一の配置構成に従って参照信号を物理チャネルに配置してＤ２Ｄ信号を送信することを選択し、当該ユーザ装置の移動速度が所定の閾値を超える場合に、前記第二の配置構成に従って参照信号を物理チャネルに配置してＤ２Ｄ信号を送信することを選択するようにしてもよい。これにより、ユーザ装置ＵＥは、移動速度を加味することでより適切なタイミングで参照信号の配置を切替えることが可能になる。
【００９６】
また、前記選択部は、当該ユーザ装置の位置又は基地局からの指示に基づき、前記第一の配置構成に従って参照信号を物理チャネルに配置してＤ２Ｄ信号を送信するのか、前記第二の配置構成に従って参照信号を物理チャネルに配置してＤ２Ｄ信号を送信するのかを選択するようにしてもよい。これにより、例えば、高速道路上など、特定の場所では新たなＲＳ構成を用いて、他の場所では従来のＲＳ構成を用いるというような動作を実現することが可能になる。
【００９７】
また、前記送信部は、前記第二の配置構成をＰＳＳＣＨに適用してＤ２Ｄ信号を送信する場合に、ＳＣＩに含まれる情報を用いてＰＳＳＣＨに配置される参照信号を生成するためのパラメータを生成するようにしてもよい。これにより、複数のパラメータセットを選択するという処理を行う必要がなくなり、ユーザ装置ＵＥの処理負荷を軽減することができる。また、ＳＣＩに含まれる各種設定値の変化に伴い、参照信号を生成する際のパラメータも適宜変更されることになるため、干渉のランダマイズ化を行うことが可能になる。
【００９８】
また、以上説明した実施の形態によれば、Ｄ２Ｄ通信をサポートする無線通信システムにおけるユーザ装置であって、Ｄ２Ｄ信号を受信する受信部と、前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出部と、前記検出部により検出された参照信号を用いてチャネル推定を行う推定部と、を有するユーザ装置が提供される。このユーザ装置ＵＥにより、Ｄ２Ｄをサポートする無線通信システムにおいて参照信号の配置を適切に切り替えることが可能な技術が提供される。
【００９９】
また、前記検出部は、特定の物理チャネルに配置されている参照信号が前記第一の配置構成に従って配置されていると判定した場合、前記特定の物理チャネル以外の物理チャネルに配置されている参照信号も前記第一の配置構成に従って配置されていると判定し、特定の物理チャネルに配置されている参照信号が前記第二の配置構成に従って配置されていると判定した場合、前記特定の物理チャネル以外の物理チャネルに配置されている参照信号も前記第二の配置構成に従って配置されていると判定するようにしてもよい。これにより、「従来のＲＳ構成」又は「新たなＲＳ構成」のどちらで参照信号が配置されているのかを物理チャネルごとに検出する処理を行う必要がなく、ユーザ装置ＵＥの処理負荷を軽減することができる。
【０１００】
また、前記推定部は、前記第二の配置構成がＰＳＳＣＨに適用されている場合、ＳＣＩに含まれる情報に基づいてＰＳＳＣＨに配置されている参照信号が生成された際に用いられたパラメータを特定し、特定したパラメータを用いてチャネル推定を行うようにしてもよい。これにより、送信側のユーザ装置ＵＥａにて参照信号を生成する際のパラメータを適宜変更することが可能になり、干渉のランダマイズ化を行うことが可能になる。
【０１０１】
また、以上説明した実施の形態によれば、Ｄ２Ｄ通信をサポートする無線通信システムにおけるユーザ装置が行う信号送信方法であって、第一の配置構成に従って参照信号を物理チャネルに配置してＤ２Ｄ信号を送信するのか、又は、前記第一の配置構成よりも参照信号が配置されるシンボル数が多い第二の配置構成に従って参照信号を物理チャネルに配置してＤ２Ｄ信号を送信するのかを選択する選択ステップと、前記選択ステップにおける選択結果に基づき、前記第一の配置構成又は第二の配置構成に従って参照信号を物理チャネルに配置してＤ２Ｄ信号を送信する送信ステップと、を有する信号送信方法が提供される。この信号送信方法により、Ｄ２Ｄをサポートする無線通信システムにおいて参照信号の配置を適切に切り替えることが可能な技術が提供される。
【０１０２】
また、以上説明した実施の形態によれば、Ｄ２Ｄ通信をサポートする無線通信システムにおけるユーザ装置が行う信号受信方法であって、Ｄ２Ｄ信号を受信する受信ステップと、前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出ステップと、前記検出ステップにより検出された参照信号を用いてチャネル推定を行う推定ステップと、を有する信号受信方法が提供される。この信号受信方法により、Ｄ２Ｄをサポートする無線通信システムにおいて参照信号の配置を適切に切り替えることが可能な技術が提供される。
【０１０３】
＜実施形態の補足＞
ユーザ装置ＵＥは、常に「新たなＲＳ構成」によりＤ２Ｄ信号を送信するようにしてもよい。送信側のユーザ装置ＵＥａ及び受信側のユーザ装置ＵＥｂにてＲＳ構成の選択等の処理が不要になる。
【０１０４】
以上実施の形態の説明で用いた物理チャネル名はあくまで一例であり、本実施の形態は他の物理チャネルにも適用可能である。
【０１０５】
Ｄ２Ｄ信号、ＲＲＣ信号及び制御信号は、それぞれＤ２Ｄメッセージ、ＲＲＣメッセージ及び制御メッセージであってもよい。
【０１０６】
方法の請求項は、サンプル的順序で様々なステップの要素を提示しており、請求項の中で明記していない限り、提示した特定の順序に限定されない。
【０１０７】
以上、本発明の実施の形態は、ＬＴＥ（Long Term Evolution）、ＬＴＥ−Ａ（LTE-Advanced）、ＣＤＭＡ２０００、ＵＭＢ（Ultra Mobile Broadband）、ＩＥＥＥ８０２．１１(Wi-Fi（登録商標）)、ＩＥＥＥ８０２．１６(WiMAX（登録商標）)、ＩＥＥＥ８０２．２０、ＵＷＢ（Ultra-Wideband）、Ｂｌｕｅｔｏｏｔｈ（登録商標）および/または他の適切なシステムを利用するシステムに拡張され得る。
【０１０８】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１０９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１０】
なお、実施の形態において、従来のＲＳ構成は、第一の配置構成の一例である。新たなＲＳ構成は、第二の配置構成の一例である。ＲＳ構成選択部１０３は、選択部の一例である。ＲＳ検出部１０４は、検出部の一例である。チャネル推定部１０５は、推定部の一例である。
【０１１１】
本特許出願は２０１５年８月１３日に出願した日本国特許出願第２０１５−１５９９９２号に基づきその優先権を主張するものであり、日本国特許出願第２０１５−１５９９９２号の全内容を本願に援用する。
【符号の説明】
【０１１２】
ＵＥ  ユーザ装置
ｅＮＢ  基地局
１０１  信号送信部
１０２  信号受信部
１０３  ＲＳ構成選択部
１０４  ＲＳ検出部
１０５  チャネル推定部
２０１  信号送信部
２０２  信号受信部
２０３  ＲＳ構成指示部
１００１  プロセッサ
１００２  メモリ
１００３  ストレージ
１００４  通信装置
１００５  入力装置
１００６  出力装置
【図１】
2017026477.tif 000003
【図２】
2017026477.tif 000004
【図３】
2017026477.tif 000005
【図４】
2017026477.tif 000006
【図５】
2017026477.tif 000007
【図６】
2017026477.tif 000008
【図７】
2017026477.tif 000009
【図８】
2017026477.tif 000010
【図９】
2017026477.tif 000011
【図１０】
2017026477.tif 000012
【図１１】
2017026477.tif 000013
【図１２】
2017026477.tif 000014
【図１３】
2017026477.tif 000015
【図１４】
2017026477.tif 000016
【図１５】
2017026477.tif 000017
【図１６】
2017026477.tif 000018
【図１７】
2017026477.tif 000019
【図１８】
2017026477.tif 000020
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
Ｄ２Ｄ通信をサポートする無線通信システムにおけるユーザ装置であって、
参照信号を物理チャネルに配置してＤ２Ｄ信号を送信する第一の配置構成、又は前記第一の配置構成よりも参照信号が配置されるシンボル数が多い第二の配置構成に従って、参照信号を物理チャネルに配置してＤ２Ｄ信号を送信する送信部を有し、
前記送信部は、前記第二の配置構成をＰＳＳＣＨに適用してＤ２Ｄ信号を送信する場合に、ＰＳＣＣＨに含まれる情報を用いてＰＳＳＣＨに配置される参照信号を生成するためのパラメータを生成する
ユーザ装置。
【請求項２】
前記送信部は、当該ユーザ装置の移動速度が所定の閾値以下である場合に、前記第一の配置構成に従って参照信号を物理チャネルに配置してＤ２Ｄ信号を送信し、
当該ユーザ装置の移動速度が所定の閾値を超える場合に、前記第二の配置構成に従って参照信号を物理チャネルに配置してＤ２Ｄ信号を送信する、
請求項１記載のユーザ装置。
【請求項３】
前記送信部は、基地局からの指示に基づき、前記第一の配置構成に従って参照信号を物理チャネルに配置したＤ２Ｄ信号、又は前記第二の配置構成に従って参照信号を物理チャネルに配置したＤ２Ｄ信号を送信する、
請求項１又は２に記載のユーザ装置。
【請求項４】
Ｄ２Ｄ通信をサポートする無線通信システムにおけるユーザ装置であって、
Ｄ２Ｄ信号を受信する受信部と、
前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出部と、
前記検出部により検出された参照信号を用いてチャネル推定を行う推定部と、
を有するユーザ装置。
【請求項５】
特定の物理チャネルに配置されている参照信号が前記第一の配置構成に従って配置されていると判定した場合、前記特定の物理チャネル以外の物理チャネルに配置されている参照信号も前記第一の配置構成に従って配置されていると判定し、
特定の物理チャネルに配置されている参照信号が前記第二の配置構成に従って配置されていると判定した場合、前記特定の物理チャネル以外の物理チャネルに配置されている参照信号も前記第二の配置構成に従って配置されていると判定する、
請求項４に記載のユーザ装置。
【請求項６】
前記推定部は、前記第二の配置構成がＰＳＳＣＨに適用されている場合、ＰＳＣＣＨに含まれる情報を用いてＰＳＳＣＨに配置されている参照信号が生成された際に用いられたパラメータを特定し、特定したパラメータを用いてチャネル推定を行う、
請求項４又は５に記載のユーザ装置。
【請求項７】
Ｄ２Ｄ通信をサポートする無線通信システムにおけるユーザ装置が行う信号送信方法であって、
参照信号を物理チャネルに配置してＤ２Ｄ信号を送信する第一の配置構成、又は前記第一の配置構成よりも参照信号が配置されるシンボル数が多い第二の配置構成に従って、参照信号を物理チャネルに配置してＤ２Ｄ信号を送信する送信ステップを有し、
前記送信ステップにおいて、前記第二の配置構成をＰＳＳＣＨに適用してＤ２Ｄ信号を送信する場合に、ＰＳＣＣＨに含まれる情報を用いてＰＳＳＣＨに配置される参照信号を生成するためのパラメータを生成する
を有する信号送信方法。
【請求項８】
Ｄ２Ｄ通信をサポートする無線通信システムにおけるユーザ装置が行う信号受信方法であって、
Ｄ２Ｄ信号を受信する受信ステップと、
前記Ｄ２Ｄ信号における物理チャネルにおいて、第一の配置構成に従って参照信号が配置されているのか、又は、前記第一の配置構成よりも参照信号が配置されるシンボル数が多い第二の配置構成に従って参照信号が配置されているのかを判定し、判定結果に基づいて参照信号を検出する検出ステップと、
前記検出ステップにより検出された参照信号を用いてチャネル推定を行う推定ステップと、
を有する信号受信方法。
【手続補正２】
【補正対象書類名】明細書
【補正対象項目名】００１１
【補正方法】変更
【補正の内容】
【００１１】
開示の技術のユーザ装置は、Ｄ２Ｄ通信をサポートする無線通信システムにおけるユーザ装置であって、参照信号を物理チャネルに配置してＤ２Ｄ信号を送信する第一の配置構成、又は前記第一の配置構成よりも参照信号が配置されるシンボル数が多い第二の配置構成に従って、参照信号を物理チャネルに配置してＤ２Ｄ信号を送信する送信部を有し、
前記送信部は、前記第二の配置構成をＰＳＳＣＨに適用してＤ２Ｄ信号を送信する場合に、ＰＳＣＣＨに含まれる情報を用いてＰＳＳＣＨに配置される参照信号を生成するためのパラメータを生成する。
【国際調査報告】
2017026477.tif 000021
2017026477.tif 000022